(57)【要約】【課題】バックライトモジュール及び表示装置を提供する。【解決手段】バックライトモジュールは、導光板、少なくとも一つの第一光源、及び少なくとも一つの第二光源を含む。前記導光板の入光側には、少なくとも一つの第一入光面、及び少なくとも一つの第二入光面が交替で分布し、且つ前記第一入光面と前記第二入光面とは所定の夾角を成す。前記第一光源は、前記第一入光面に隣接する位置に設置され、且つ前記第一光源からの光束は前記導光板の第一半部へ向けて進行し、前記第二光源は、前記第二入光面に隣接する位置に設置され、且つ前記第二光源からの光束は前記導光板の第二半部へ向けて進行し、且つ第一光源と第二光源とは交替で明滅する。【選択図】図２
2012043785.tif 000002
【特許請求の範囲】
【請求項１】
バックライトモジュールであって、
入光側と、底側と、出光側とを有し、前記底側と前記出光側とは相対に設置され、前記入光側には少なくとも一つの第一入光面及び少なくとも一つの第二入光面が交替で分布し、且つ、前記第一入光面と前記第二入光面とは所定の夾角を成す導光板と、
前記第一入光面に隣接する位置に設置される少なくとも一つの第一光源であって、前記第一光源からの光束は、前記第一入光面を経由して前記導光板に入射する第一光源と、
前記第二入光面に隣接する位置に設置される少なくとも一つの第二光源であって、前記第二光源からの光束は、前記第二入光面を経由して前記導光板に入射する第二光源と、
を含み、
前記入光側の中心を通る中心軸により前記導光板は第一半部及び第二半部に分けられ、前記第一光源からの光束は前記第一半部へ向けて進行し、前記第二光源からの光束は前記第二半部へ向けて進行し、且つ、前記第一光源と前記第二光源とは交替で明滅する、バックライトモジュール。
【請求項２】
前記第一光源の発光面は、前記第一入光面と実質的に平行であり、且つ、前記第二光源の発光面は、前記第二入光面と実質的に平行である、
請求項１に記載のバックライトモジュール。
【請求項３】
前記第一入光面は、正の勾配の傾斜状態を有し、且つ、前記第二入光面は、負の勾配の傾斜状態を有する、
請求項１に記載のバックライトモジュール。
【請求項４】
前記第一光源の発光面は、正の勾配の傾斜状態を有し、且つ、前記第二光源の発光面は、負の勾配の傾斜状態を有する、
請求項１に記載のバックライトモジュール。
【請求項５】
前記第一入光面は、平面及び曲面のうち少なくとも一つを含み、且つ、前記第二入光面は、平面及び曲面のうち少なくとも一つを含む、
請求項１に記載のバックライトモジュール。
【請求項６】
前記入光側は、前記第一入光面及び前記第二入光面に接続する接続面をさらに含み、且つ、前記第一入光面が前記接続面に相対する傾斜方向は、前記第二入光面が前記接続面に相対する傾斜方向と異なる、
請求項１に記載のバックライトモジュール。
【請求項７】
前記第一入光面及び前記第二入光面は、前記接続面の中心を通る中心軸に対して実質的に対称である、
請求項６に記載のバックライトモジュール。
【請求項８】
前記導光板の前記底側に形成され、垂直方向における前記導光板の発光角度を収斂する光収斂構造をさらに含み、前記垂直方向は、前記中心軸と実質的に平行である、
請求項１に記載のバックライトモジュール。
【請求項９】
前記光収斂構造は、Ｖ型溝である、
請求項９に記載のバックライトモジュール。
【請求項１０】
前記第一入光面及び前記第二入光面のうち少なくとも一つに形成される導光微細構造をさらに含む、
請求項１に記載のバックライトモジュール。
【請求項１１】
表示装置であって、
入光側と、底側と、出光側とを有し、前記底側と前記出光側とは相対に設置され、前記入光側には少なくとも一つの第一入光面及び少なくとも一つの第二入光面が交替で分布し、且つ、前記第一入光面と前記第二入光面とは所定の夾角を成す導光板と、
前記第一入光面に隣接する位置に設置される少なくとも一つの第一光源であって、前記第一光源からの光束は、前記第一入光面を経由して前記導光板に入射し、前記第一光源の発光面は、前記第一入光面と実質的に平行であり、前記第一光源からの光束を空間中の左側に導く第一光源と、
前記第二入光面に隣接する位置に設置される少なくとも一つの第二光源であって、前記第二光源からの光束は、前記第二入光面を経由して前記導光板に入射し、前記第二光源の発光面は、前記第二入光面と実質的に平行であり、前記第二光源からの光束を空間中の右側に導き、且つ、前記第一光源及び前記第二光源は交替で明滅する第二光源と、
左側映像及び右側映像を交替で表示する表示パネルと、
前記第一光源をオンにしながら前記第二光源をオフにする時に前記左側映像を表示させ、
且つ、前記第二光源をオンにしながら前記第一光源をオフにする時に前記右側映像を表示させる映像光源同期駆動ユニットと、
を含む、表示装置。
【請求項１２】
前記左側映像は、前記左側のユーザの観覧に供し、前記右側映像は、前記右側の他のユーザの観覧に供する、
請求項１１に記載の表示装置。
【請求項１３】
同一ユーザの左眼及び右眼は、それぞれ、前記右側映像及び前記左側映像を観覧する、
請求項１１に記載の表示装置。
【請求項１４】
前記第一光源の前記発光面は、正の勾配の傾斜状態を有し、且つ、前記第二光源の前記発光面は、負の勾配の傾斜状態を有する、
請求項１１に記載の表示装置。
【請求項１５】
前記第一入光面は、平面及び曲面のうち少なくとも一つを含み、且つ、前記第二入光面は、平面及び曲面のうち少なくとも一つを含む、
請求項１１に記載の表示装置。
【請求項１６】
前記入光側は、前記第一入光面及び前記第二入光面に接続する接続面をさらに含み、且つ、前記第一入光面が前記接続面に相対する傾斜方向は、前記第二入光面が前記接続面に相対する傾斜方向と異なる、
請求項１１に記載の表示装置。
【請求項１７】
前記導光板の前記底側に形成され、垂直方向における前記導光板の発光角度を収斂する光収斂構造をさらに含む、
請求項１１に記載の表示装置。
【請求項１８】
前記光収斂構造は、Ｖ型溝である、
請求項１７に記載の表示装置。
【請求項１９】
前記第一入光面及び前記第二入光面のうち少なくとも一つに形成される導光微細構造をさらに含む、
請求項１１に記載の表示装置。
【請求項２０】
前記第一光源及び前記第二光源は、それぞれ、発光ダイオードである、
請求項１１に記載の表示装置。
【発明の詳細な説明】
【技術分野】
【０００１】
本発明は、バックライトモジュール及び二種類の異なる出光視野角を有する表示装置に関する。
【背景技術】
【０００２】
図１０は、二種類の異なる出光視野角を有する従来の表示装置を示す図である。図１０に示すように、表示装置１００は、導光板１０２と、右側光源１０４と、左側光源１０６と、プリズム片１０８と、表示パネル１１０とを含む。右側光源１０４及び左側光源１０６は交替で点灯し、且つ、プリズム片１０８は、右側光源１０４及び左側光源１０６からの光束をそれぞれ左側及び右側に導くことにより、ユーザの両眼にそれぞれ異なる出光角度の光線を受けさせて立体視覚効果を生じさせる。しかし、上述の従来の設計による出光方式は、導光板１０２の底側に、角度が連続で次第に変化するためのＶ型溝の微細構造（図示せず）を併せて形成する必要がある。ところが、角度が連続で次第に変化するためのＶ型溝の微細構造の製造が容易でないため、全体の製造コストが高くなり且つ歩留まりが低くなる。一方、単一導光板１０２を使用し且つ両側において異なる光源１０４、１０６を使用する設計方式は、一方側の微細構造の分布を調整して出光均一度を制御しようとするときに、他方側の光源をオンにスイッチする時による影響を考慮しなければならないので、導光板１０２の両側に共に電源がある場合は、導光板１０２全体の出光均一度を向上するために、微細構造の分布を制約する必要があり、そのため、光利用率を有効に向上することができない。
【０００３】
図１１は、二種類の異なる出光視野角を有する従来の他の表示装置を示す図である。図１１に示すように、表示装置２００は、二つの導光板２０２、２０４と、導光板２０２側に設けられる光源２０６と、導光板２０４側に設けられる光源２０８と、表示パネル２１０とを含む。光源２０６と光源２０８は交替で点灯し、且つ、光源２０６と光源２０８からの光束は、それぞれ、導光板の出光構造２０２ａ、２０４ａにより、二つの異なる方向に沿って射出し、これにより、両眼にそれぞれ異なる映像を受けさせて立体視覚効果を生じさせる。しかし、この従来の設計は、二つの導光板２０２、２０４を用いる必要があり、これにより、コストが高くなり且つ組み立ての手間がかかるのみならず、下方に位置する導光板２０４の出光態様が上方の導光板２０２の干渉を受けやすいため制御され難い問題もある。
【０００４】
特許文献１には発光ダイオードを採用する発光素子が開示されており、特許文献２と特許文献３には共にバックライトモジュールを有する表示装置が開示されている。
【先行技術文献】
【特許文献】
【０００５】
【特許文献１】台湾特許公開第２００６１５６６３号
【特許文献２】米国特許第７５２８８９３号
【特許文献３】米国特許公開第２００６０１３２６７３号
【発明の概要】
【発明が解決しようとする課題】
【０００６】
本発明の目的は、二種類の異なる出光視野角を有し、二種類の異なる画面をユーザに提供することができる表示装置を提供することにある。
【０００７】
本発明の他の目的と利点については、本発明に開示される技術的特徴から更なる理解を得ることができる。
【課題を解決するための手段】
【０００８】
上述の一又は部分又は全部の目的若しくは他の目的を達成するために、本発明の一実施例は、バックライトモジュールを提供する。このバックライトモジュールは、導光板と、少なくとも一つの第一光源と、少なくとも一つの第二光源と、を含む。導光板は、入光側と、底側と、出光側と、を有し、底側と出光側とは、相対して設置され、入光側には、少なくとも一つの第一入光面と、少なくとも一つの第二入光面とが交替で分布し、且つ、第一入光面と第二入光面とは所定の夾角を成す。第一光源は、第一入光面に隣接する位置に設置され、且つ、第一光源からの光束は、第一入光面を経由して導光板に入射する。第二光源は、第二入光面に隣接する位置に設置され、且つ、第二光源からの光束は、第二入光面を経由して導光板に進入し、そのうち、入光側の中心を通る中心軸は、導光板を第一半部と第二半部とに分け、第一光源からの光束は、第一半部へ向けて進行し、第二光源からの光束は、第二半部へ向けて進行し、且つ、第一光源と第二光源とは交替で明滅する。
【０００９】
一実施例では、第一光源の発光面と第一入光面とは、実質的に平行であり、且つ、第二光源の発光面と第二入光面とは、実質的に平行である。
【００１０】
一実施例では、第一入光面は、正の勾配の傾斜状態を有し、且つ、第二入光面は、負の勾配の傾斜状態を有する。
【００１１】
一実施例では、導光板の入光側は、さらに、第一入光面及び第二入光面に接続する接続面を含み、且つ、第一入光面が接続面に相対する傾斜方向は、第二入光面が接続面に相対する傾斜方向と異なる。
【００１２】
一実施例では、バックモジュールは、さらに、光収斂構造を含み、光収斂構造は、導光板の底側に形成され、導光板の垂直方向における発光角度を収斂するためのものであり、且つ、光収斂構造は、第一入光面及び第二入光面のうち一つに形成されても良い。
【００１３】
また、本発明の他の実施例は、表示装置を提供する。この光源装置は、導光板と、少なくとも一つの第一光源と、少なくとも一つの第二光源と、表示パネルと、映像光源同期駆動ユニットと、を含む。導光板は、入光側と、底側と、出光側とを有し、底側と出光側とは、相対して設置され、入光側には、少なくとも一つの第一入光面と、少なくとも一つの第二入光面とが交替で分布し、且つ、第一入光面と第二入光面とは、所定の夾角を成す。第一光源は、第一入光面に隣接する位置に設置され、且つ、第一光源の発光面と第一入光面とは、実質的に平行であり、これにより、第一光源からの光束は空間中の左側に導かれる。第二光源は、第二入光面に隣接する位置に設置され、第二光源の発光面と第二入光面とは、実質的に平行であり、これにより、第二光源からの光束は、空間中の右側に導かれ、且つ、第一光源と第二光源とは、交替で明滅する。表示パネルは、左側映像及び右側映像を交替で表示し、映像光源同期駆動ユニットは、第一光源をオンにしながら第二光源をオフにする時に、左側映像を表示するために用いられ、且つ、第二光源をオンにしながら第一光源をオフにする時に、右側映像を表示するために用いられる。
【００１４】
一実施例では、左側映像は、左側のユーザの観覧のために供し、且つ、右側映像は、右側のユーザの観覧のために供する。
【００１５】
一実施例では、同一ユーザの左眼及び右眼は、それぞれ、右側映像及び左側映像を観覧する。
【発明の効果】
【００１６】
以上述べたところを総合すれば、本発明の実施例によるバックライトモジュール及び表示装置は、少なくとも、以下の利点のうち一つを有する。
【００１７】
上述の実施例の設計により、導光板が、異なる傾斜状態の入光面を有し、且つ、異なる傾斜状態の発光面を有する複数の光源が合わせて使用されるので、出光視野角が異なる効果を得ることができ、これにより、左右両側のユーザに各自の映像を観覧させ、或いは、単一ユーザに立体視覚効果を生じさせることができる。従来の設計と比べ、上述の実施例では、単一導光板のみを使用し、且つ、角度が連続で次第に変化するための、製作し難い微細構造を使用する必要がないので、製造コストを大幅に下げ、歩留まりを向上することができる。一方、各光源が導光板の一方側のみに分布するので、導光板の出光態様及び全体の出光均一度を容易に制御することができ、且つ、光利用率を有効に向上することができる。
【図面の簡単な説明】
【００１８】
【図１】本発明の一実施例による表示装置を示す図である。
【図２】本発明の一実施例によるバックライトモジュールの上面図である。
【図３】本発明の一実施例によるバックライトモジュールの出光態様を示す図である。
【図４】本発明の一実施例によるバックライトモジュールの出光態様を示す図である。
【図５】本発明の一実施例による表示装置の出光視野角のシミュレーション結果を示す図である。
【図６】ユーザを基準として定義された水平方向及び垂直方向を説明するための図である。
【図７】本発明の一実施例による光収斂構造を示す図である。
【図８】本発明の他の実施例によるバックライトモジュールの上面図である。
【図９】本発明の他の実施例によるバックライトモジュールの上面図である。
【図１０】二種類の異なる出光視野角を有する従来の表示装置を示す図である。
【図１１】二種類の異なる出光視野角を有する従来の他の表示装置を示す図である。
【発明を実施するための形態】
【００１９】
次に、添付した図面を参照しながら、本発明の好適な実施形態を詳細に説明する。
【００２０】
なお、次の各実施例の説明は、添付した図面を参照して行われたものであり、本発明の実施可能な特定の実施例を例示するために用いられる。また、次の各実施例に言及した方向の用語、例えば、上、下、前、後、左、右などは、添付した図面の方向を参考するためのもののみである。よって、以下に使用された方向の用語は、説明のために用いられ、本発明を限定するためのものでない。
【００２１】
図１は、本発明の一実施例による表示装置を示す図である。図１に示すように、表示装置１０は、バックライトモジュール１２、表示パネル１４、及び映像光源同期駆動ユニット１６を含む。図２は、本発明の一実施例によるバックライトモジュール１２の上面図である。図１及び図２を同時に参照する。バックライトモジュール１２は、導光板２２、少なくとも一つの第一光源２４、及び少なくとも一つの第二光源２６を含む。導光板２２は、入光側３２、底側３４、及び出光側３６を有し、底側３４と出光側３６とは、相対に設置される。入光側３２には、少なくとも一つの第一入光面３２ａ及び少なくとも一つの第二入光面３２ｂが交替で分布し、且つ、第一入光面３２ａと第二入光面３２ｂとは、所定の角度、即ち、夾角αを成す。第一光源２４は、第一入光面３２ａに隣接する位置に設置され、且つ、第一光源２４からの光束は、第一入光面３２ａを経由して導光板２２に入射し、第二光源２６は、第二入光面３２ｂに隣接する位置に設置され、且つ、第二光源２６からの光束は、第二入光面３２ｂを経由して導光板２２に入射する。本実施例では、第一光源２４の発光面２４ａと第一入光面３２ａとは、実質的に平行であり、且つ、第二光源２６の発光面２６ａと第二入光面３２ｂとは、実質的に平行である。
【００２２】
また、本実施例では、導光板２２の入光側３２は、さらに、第一入光面３２ａ及び第二入光面３２ｂに接続する接続面３２ｃを含む。一実施例では、第一入光面３２ａと第二入光面３２ｂとは、接続面３２ｃの中心を通る中心軸Ｐに対して実質的に対称であっても良い。一実施例では、第一入光面３２ａが接続面３２ｃに相対する傾斜方向は、第二入光面３２ｂが接続面３２ｃに相対する傾斜方向と異なり、例えば、第一入光面３２ａは、正の勾配の傾斜状態を有し、且つ、第二入光面３２ｂは、負の勾配の傾斜状態を有しても良い。よって、第一光源２４の発光面２４ａは、それ相応に、正の勾配の傾斜状態を有し、且つ、第二光源２６の発光面２６ａは、それ相応に、負の勾配の傾斜状態を有しても良い。また、上述の第一光源２４及び第二光源２６は、例えば、発光ダイオードであってもよい。
【００２３】
なお、本明細書及び特許請求の範囲に記載の「左側」及び「右側」という用語は、空間中の二つの相対方位を表すだけのものであり、本発明を限定するものでない。例えば、図３に示すように、入光側３２の中心を通る中心軸Ｑは、導光板２２を左半部と右半部に分け、導光板２２の左半部へ向けて進行する光束は、射出後に空間中の左側に伝播することができ、且つ、図４に示すように、導光板２２の右半部へ向けて進行する光束は、射出後に空間中の右側に伝播することができる。本実施例では、第一光源２４と第二光源２６とは、交替で明滅するように設計される。図３に示すように、第一時点において、第一光源２４がオンにスイッチされ且つ第二光源２６がオフにスイッチされ、この時は、導光板２２には、第一光源２４からの光束のみが分布し、且つ、第一光源２４からの光束は、導光板２２の左半部へ向けて進行する。また、図４に示すように、次の時点において、第一光源２４がオフにスイッチされ且つ第二光源２６がオンにスイッチされ、この時は、導光板２２には、第二光源２６からの光束のみが分布し、且つ、第二光源２６からの光束は、導光板２２の右半部へ向けて進行する。よって、空間中の左側及び右側にそれぞれユーザがいる場合、第一時点において、映像光源同期駆動ユニット１６は、映像源１８に映像Ａを提供させると同時に第一光源２４をオンにしながら第二光源２６をオフにすることができ、この時は、左側のユーザが映像Ａを見ることができ、続いて、次の時点において、映像光源同期駆動ユニット１６は、映像源１８に映像Ｂを提供させると同時に第一光源２４をオフにしながら第二光源２６をオンにすることができ、この時は、右側のユーザが映像Ｂを見ることができ、これにより、表示パネル１４は、連続で映像Ａと映像Ｂを交替で表示することができる。人の目は視覚残留機能が存在するので、左側のユーザは、連続的な画面の映像Ａを見ることができ、且つ、右側のユーザは、連続的な画面の映像Ｂを見ることができ、即ち、左右両側のユーザは、各自の映像を見ることができる。一方、単一ユーザの場合、第一時点において、映像光源同期駆動ユニット１６は、映像源１８に左眼用映像を提供させ、且つ、同時に第一光源２４をオンにしながら第二光源２６をオフにし、続いて、次の時点において、映像光源同期駆動ユニット１６は、映像源１８に右眼用映像を提供させ、且つ、同時に第一光源２４をオフにしながら第二光源２６をオンにし、これにより、表示パネル１４は、左眼用映像及び右眼用映像を絶えずに交替で表示することによって、立体視覚効果を生じさせることができる。
【００２４】
図５は、本発明の一実施例による表示装置の出光視野角のシミュレーション結果を示す図である。図５では、第一光源２４の発光面２４ａと垂直方向との夾角θ１が４５°であり、且つ、第二光源２６の発光面２６ａと垂直方向との夾角θ２が４５°である（夾角θ１とθ２は、図３に示される）ときに、バックライトモジュール１２が生成した二つの異なる出光視野角の範囲を示し、そのうち、縦軸は、光強度（ｃｄ）を表し、横軸は、出光角度を表し、実線は、第一光源２４の出光角度及び光強度の分布を表し、且つ、点線は、第二光源２６の出光角度及び光強度の分布を表す。また、一実施例では、第一光源２４の発光面２４ａと垂直方向との夾角範囲が２０°≦θ１≦６０°であっても良く、第二光源２６の発光面２６ａと垂直方向との夾角範囲が２０°≦θ２≦６０°であっても良いが、勿論、夾角θ１とθ２は、これらに限定されず、実際のニーズに応じて設計されても良い。
【００２５】
図６に示すように、ユーザ４８を基準として導光板２２又は表示パンル１４において水平方向ＨＡ及び垂直方向ＶＡを定義することができ、光源２４、２６は、導光板２２の入光側に配列される配列方向は、実質的に水平方向ＨＡと平行であり、且つ、図３の導光板の中心軸Ｑは、実質的に垂直方向ＶＡと平行である。上述の各実施例の設計により、第一光源２４及び第二光源２６の出光方向が、それぞれ、左側及び右側に偏し、即ち、水平方向ＨＡにおいて二つの独立した且つ異なる出光角度分布を要するので、発明の効果を弱めることを回避するために、水平方向ＨＡにおいて導光板２２に形成されている微細構造による光の偏り効果が強すぎないことが望ましいが、垂直方向ＶＡにおいて垂直方向ＶＡの出光角度を収斂する制御を行っても良い。よって、図７に示すように、導光板２２の底側３４に、垂直方向ＶＡの発光角度を収斂するための光収斂構造を形成することができ、且つ、光収斂構造は、例えば、Ｖ型溝４２であってもよく、Ｖ型溝４２の長手軸方向は、実質的に光源２４、２６の配列方向（入光側の延伸方向）と平行であり、Ｖ型溝４２は、垂直方向ＶＡにおける発光角度を有効に収斂することができ、さらに、導光板の出光側３６に隣接して設置されるプリズム片４４と併せることにより、大角度の光線を正視野角方向に変えることができる。勿論、上述の光収斂構造は、Ｖ型溝４２に限定されず、垂直方向ＶＡの発光角度を有効に収斂でき且つ水平方向の光線分布の独立性を維持できれば（即ち、水平方向ＨＡの発光角度を大いに収斂しなければ）良い。
【００２６】
また、第一入光面３２ａ及び第二入光面３２ｂの外形は、限定されず、例えば、平面（図２に示すように）、曲面（図８に示すように）、或いは、一部が平面であり一部が曲面であるような組合せであっても良い。また、図９に示すように、第一入光面３２ａ又は第二入光面３２ｂには、入光均一度を向上するために、導光微細構造４６が形成されても良い。
【００２７】
以上述べたところを総合すれば、本発明の実施例によるバックライトモジュール及び表示装置は、少なくとも、以下の利点のうち一つを有する。
【００２８】
上述の実施例の設計により、導光板が、異なる傾斜状態の入光面を有し、且つ、異なる傾斜状態の発光面を有する複数の光源が合わせて使用されるので、出光視野角が異なる効果を得ることができ、これにより、左右両側のユーザに各自の映像を観覧させ、或いは、同一ユーザに立体視覚効果を生じさせることができる。従来の設計と比べ、上述の実施例では、単一導光板のみを使用し、且つ、角度が連続で次第に変化するための製作し難い微細構造を使用する必要がないので、製造コストを大幅に下げ、歩留まりを向上することができる。一方、各光源が導光板の一方側のみに分布するので、導光板の出光態様及び全体の出光均一度を容易に制御することができ、且つ、光利用率を有効に向上することができる。
【００２９】
本発明は、上述した好適な実施例に基づいて以上のように開示されたが、上述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００３０】
１０  表示装置
１２  バックライトモジュール
１４  表示パネル
１６  映像光源同期駆動ユニット
１８  映像源
２２  導光板
２４  第一光源
２４ａ  第一光源の発光面
２６  第二光源
２６ａ  第二光源の発光面
３２  入光側
３２ａ  第一入光面
３２ｂ  第二入光面
３２ｃ  接続面
３４  底側
３６  出光側
４２  Ｖ型溝
４４  プリズム片
４６  導光微細構造
４８  ユーザ
１００  表示装置
１０２  導光板
１０４  右側光源
１０６  左側光源
１０８  プリズム片
１１０  表示パネル
２００  表示装置
２０２、２０４  導光板
２０２ａ、２０４ａ  出光構造
２０６、２０８  光源
２１０  表示パネル
Ｐ、Ｑ  中心軸
α、θ１、θ２  夾角
ＨＡ  水平方向
ＶＡ  垂直方向
【図１】
2012043785.tif 000003
【図２】
2012043785.tif 000004
【図３】
2012043785.tif 000005
【図４】
2012043785.tif 000006
【図５】
2012043785.tif 000007
【図６】
2012043785.tif 000008
【図７】
2012043785.tif 000009
【図８】
2012043785.tif 000010
【図９】
2012043785.tif 000011
【図１０】
2012043785.tif 000012
【図１１】
2012043785.tif 000013